(57)【要約】【課題】ＬＥＤを光源とするエッジ型バックライトのデッドスペースを減少させる【解決手段】  本発明に係る線光源及びバックライトユニットは、両端面及び側面を有し、蛍光体または燐光体を含む発光バーと、前記発光バーの両端面に配置されている発光ダイオードと、を含む。そして、前記発光バーの両端面は前記発光バーの長軸に対して所定角度傾斜している。このような構成により、点光源である発光ダイオードの光を均一に分散するために要求されるデッドスペースを除去することができる。従って、液晶表示装置の軽薄化を図ることができる。【選択図】      図４
2006114473.tif 000002
【特許請求の範囲】
【請求項１】
両端面及び側面を有し、蛍光体または燐光体を含む発光バーと、
前記発光バーの両端面に配置されている発光ダイオードと、を含み、
前記発光バーの両端面は前記発光バーの長軸に対して所定角度傾斜していることを特徴とする線光源。
【請求項２】
前記発光バーの長さをＬ、前記発光バーの両端面の長さをＳとすると、前記所定角度はsin-1（S/L）であることを特徴とする、請求項１に記載の線光源。
【請求項３】
前記蛍光体または燐光体は、前記発光バーの全体に均一に分布していることを特徴とする、請求項１に記載の線光源。
【請求項４】
前記蛍光体または燐光体の密度は、前記発光バーの両端の密度よりも前記発光バーの中央で高い分布を有していることを特徴とする、請求項１に記載の線光源。
【請求項５】
前記発光バーは四角柱状であり、前記発光バーの両端部には三角柱状の突起がそれぞれ形成されていることを特徴とする、請求項１に記載の線光源。
【請求項６】
両端面及び側面を有し、蛍光体または燐光体を含む発光バーと、
前記発光バーの両端面に配置されている発光ダイオードと、を含み、
前記蛍光体または燐光体の密度は、前記発光バーの両端の密度よりも前記発光バーの中央で高い分布を有していることを特徴とする線光源。
【請求項７】
前記発光バーの両端面は、前記発光バーの長軸に対して所定角度傾斜していることを特徴とする、請求項６に記載の線光源。
【請求項８】
前記発光バーの長さをＬ、前記発光バーの両端面の長さをＳとすると、前記所定角度はsin-1（S/L）であることを特徴とする、請求項７に記載の線光源。
【請求項９】
両端面及び側面を有し、蛍光体または燐光体を含む発光バーと、
前記発光バーの両端面に配置されている発光ダイオードと、
前記発光バーと前記発光ダイオードとを収容する光源カバーと、
前記発光バーの一側面と接するように配置されている導光板と、
を含むことを特徴とするバックライトユニット。
【請求項１０】
前記光源カバーの側面の外側に配置され、前記発光ダイオードに電源を供給する配線をさらに含むことを特徴とする、請求項９に記載のバックライトユニット。
【請求項１１】
前記発光バーの両端面は、前記発光バーの長軸に対して所定角度傾斜していることを特徴とする、請求項９に記載のバックライトユニット。
【請求項１２】
前記発光バーの長さをＬ、前記発光バーの両端面の長さをＳとすると、前記所定角度はsin-1（S/L）であることを特徴とする、請求項１１に記載のバックライトユニット。
【請求項１３】
前記蛍光体または燐光体の密度は、前記発光バーの両端の密度よりも前記発光バーの中央で高い分布を有していることを特徴とする、請求項９に記載のバックライトユニット。
【請求項１４】
前記光源カバーは、前記発光バーから放たれた光を反射させ、前記導光板の方向へ進行するように前記発光バーの光の向きを変えることを特徴とする、請求項９に記載のバックライトユニット。
【発明の詳細な説明】
【技術分野】
【０００１】
本発明は表示装置用光源に関する。
【背景技術】
【０００２】
コンピュータのモニターやTVなどに用いられる表示装置には、ＥＬ、真空蛍光表示装置（ＶＦＤ）、電界発光素子（ＦＥＤ）、プラズマ表示装置（ＰＤＰ）などと、自ら発光できず別途の光源を必要とする液晶表示装置（ＬＣＤ）などがある。
【０００３】
一般的な液晶表示装置は、電界生成電極が具備された二つの表示板と、その間に介在している誘電率異方性を有する液晶層と、を含む。電界生成電極に電圧を印加して液晶層に電場を生成し、電圧を変化させてこの電場の強度を調節する。このようにして、液晶層を通過する光の透過率を調節して所望の画像を得る。液晶を通過する光は、別途に具備された人工光源もしくは自然光である。
【０００４】
液晶表示装置用の人工光源、つまりバックライト装置には、光源としてＣＣＦＬ（cold cathode fluorescent lamp）やＥＥＦＬ（external electrode fluorescent）のような複数個の蛍光ランプや、複数個の発光ダイオードを使用する。
【０００５】
二重発光ダイオードは、水銀を使わないため環境にやさしく、使用する器具も安定的であるため寿命が長いという長所があり、次世代バックライト装置の光源として注目されている。
【発明の開示】
【発明が解決しようとする課題】
【０００６】
しかし、発光ダイオードは点光源であって、光が狭い領域に集中して発散する性質を持つ。そのため、これを面光源に適用するには光を広い領域に均等に分散させる必要がある。ところが、光を均等にするためには一定の大きさ以上に対応する距離必要とする。光分散のために要求される距離は、直下型の場合、バックライトユニットの厚さを増加させ原因となる。また、エッジ型の場合は、液晶表示パネルの側面にデッドスペースを発生させるため、軽薄短小化の要求に応えることができない。
【０００７】
そこで本発明は、ＬＥＤを光源とするエッジ型バックライトにおけるデッドスペースを減少させることを目的とする。
【課題を解決するための手段】
【０００８】
前記課題を解決するために、発明１は、両端面及び側面を有し、蛍光体または燐光体を含む発光バーと、前記発光バーの両端面に配置されている発光ダイオードと、を含み、前記発光バーの両端面は前記発光バーの長軸に対して所定角度傾斜していることを特徴とする線光源を提供する。
【０００９】
これにより、点光源である発光ダイオードの光を均一に分散するために要求されるデッドスペースを除去することができる。従って、液晶表示装置の軽薄化を図ることができる。
【００１０】
発明２は、前記発明１において、前記発光バーの長さをＬ、前記発光バーの両端面の長さをＳとすると、前記所定角度はsin-1（S/L）であることを特徴とする線光源を提供する。
【００１１】
これは、発光バーの両端面に付着されている発光ダイオードから放たれる光の多くは、発光バーの光源カバー側の側面の方向を向くようにするためである。これにより、多くの光が通過する発光バー内部の経路は長くなるため、蛍光体と衝突する機会が多くなり、発光バーに含まれている蛍光体を均一に用いることができる。
【００１２】
発明３は、前記発明１において、前記蛍光体または燐光体は、前記発光バーの全体に均一に分布していることを特徴とする線光源を提供する。
このような発光バー内部を、発光ダイオードから放たれた光は進みながら分散している蛍光体と衝突して白色光を発する。この際、発光バー全体において均一に光を放つため、CCFLやEEFLのような線光源の機能をする。したがって、発光ダイオードを直ちに配設したときに生ずるデッドスペースがなくなる。
【００１３】
発明４は、前記発明１において、前記蛍光体または燐光体の密度は、前記発光バーの両端の密度よりも前記発光バーの中央で高い分布を有していることを特徴とする線光源を提供する。
【００１４】
このような発光バー内部を、発光ダイオードから放たれた光は進みながら分散している蛍光体と衝突して白色光を発する。この際、発光バー全体において均一に光を放つため、CCFLやEEFLのような線光源の機能をする。したがって、発光ダイオードを直ちに配設したときに生ずるデッドスペースがなくなる。
【００１５】
発明５は、前記発明１において、前記発光バーは四角柱状であり、前記発光バーの両端部には三角柱状の突起がそれぞれ形成されていることを特徴とする線光源を提供する。
この突起は、導光板の角部が取られた部分に嵌合されるもので、発光ダイオードが付着される発光バーの両端面を拡張する役割をする。
【００１６】
また、前記課題を解決するために、発明６は、両端面及び側面を有し、蛍光体または燐光体を含む発光バーと、前記発光バーの両端面に配置されている発光ダイオードと、を含み、前記蛍光体または燐光体の密度は、前記発光バーの両端の密度よりも前記発光バーの中央で高い分布を有していることを特徴とする線光源を提供する。
【００１７】
これにより、点光源である発光ダイオードの光を均一に分散するために要求されるデッドスペースを除去することができる。従って、液晶表示装置の軽薄化を図ることができる。
【００１８】
発明７は、前記発明６において、前記発光バーの両端面は、前記発光バーの長軸に対して所定角度傾斜していることを特徴とする線光源を提供する。
これは、発光バーの両端面に付着されている発光ダイオードから放たれる光の多くは、発光バーの光源カバー側の側面の方向を向くようにするためである。これにより、多くの光が通過する発光バー内部の経路は長くなるため、蛍光体と衝突する機会が多くなり、発光バーに含まれている蛍光体を均一に用いることができる。
【００１９】
発明８は、前記発明７において、前記発光バーの長さをＬ、前記発光バーの両端面の長さをＳとすると、前記所定角度はsin-1（S/L）であることを特徴とする線光源を提供する。
【００２０】
これは、発光バーの両端面に付着されている発光ダイオードから放たれる光の多くは、発光バーの光源カバー側の側面の方向を向くようにするためである。これにより、多くの光が通過する発光バー内部の経路は長くなるため、蛍光体と衝突する機会が多くなり、発光バーに含まれている蛍光体を均一に用いることができる。
【００２１】
また、前記課題を解決するために、発明９は、両端面及び側面を有し、蛍光体または燐光体を含む発光バーと、前記発光バーの両端面に配置されている発光ダイオードと、前記発光バーと前記発光ダイオードとを収容する光源カバーと、前記発光バーの一側面と接するように配置されている導光板と、を含むことを特徴とするバックライトユニットを提供する。
【００２２】
これにより、点光源である発光ダイオードの光を均一に分散するために要求されるデッドスペースを除去することができる。従って、液晶表示装置の軽薄化を図ることができる。
【００２３】
発明１０は、前記発明９において、前記光源カバーの側面の外側に配置され、前記発光ダイオードに電源を供給する配線をさらに含むことを特徴とするバックライトユニットを提供する。
【００２４】
発明１１は、前記発明９において、前記発光バーの両端面は、前記発光バーの長軸に対して所定角度傾斜していることを特徴とするバックライトユニットを提供する。
これは、発光バーの両端面に付着されている発光ダイオードから放たれる光の多くは、発光バーの光源カバー側の側面の方向を向くようにするためである。これにより、多くの光が通過する発光バー内部の経路は長くなるため、蛍光体と衝突する機会が多くなり、発光バーに含まれている蛍光体を均一に用いることができる。
【００２５】
発明１２には、前記発明１１において、前記発光バーの長さをＬ、前記発光バーの両端面の長さをＳとすると、前記所定角度はsin-1（S/L）であることを特徴とするバックライトユニットを提供する。
【００２６】
これは、発光バーの両端面に付着されている発光ダイオードから放たれる光の多くは、発光バーの光源カバー側の側面の方向を向くようにするためである。これにより、多くの光が通過する発光バー内部の経路は長くなるため、蛍光体と衝突する機会が多くなり、発光バーに含まれている蛍光体を均一に用いることができる。
【００２７】
発明１３は、前記発明９において、前記蛍光体または燐光体の密度は、前記発光バーの両端の密度よりも前記発光バーの中央で高い分布を有していることを特徴とするバックライトユニットを提供する。
【００２８】
このような発光バー内部を、発光ダイオードから放たれた光は進みながら分散している蛍光体と衝突して白色光を発する。この際、発光バー全体において均一に光を放つため、CCFLやEEFLのような線光源の機能をする。したがって、発光ダイオードを直ちに配設したときに生ずるデッドスペースがなくなる。
【００２９】
発明１４は、前記発明９において、前記光源カバーは、前記発光バーから放たれた光を反射させ、前記導光板の方向へ進行するように前記発光バーの光の向きを変えることを特徴とするバックライトユニットを提供する。
【発明の効果】
【００３０】
本発明によると、発光ダイオードを利用して線光源を形成するため、点光源である発光ダイオードの光を均一に分散するために要求されるデッドスペースを除去することができる。従って、液晶表示装置の軽薄化を図ることができる。
【発明を実施するための最良の形態】
【００３１】
以下より、添付した図面を参照して、本発明の実施例に対して、本発明が属する技術分野における通常の知識を有する者が容易に実施することができるように詳細に説明する。しかし、本発明は、多様な形態で実現することができ、ここで説明する実施例に限定されない。
【００３２】
図面は、各種層及び領域を明確に表現するために、厚さを拡大して示している。明細書全体を通じて類似した部分については、同一に図面符号を付けている。層、膜、領域、基板及び板などの部分が、他の部分の“上に”あるとする時、これは他の部分の“すぐ上に”ある場合に限らず、その中間に更に他の部分がある場合も含む。逆に、ある部分が他の部分の“すぐ上に”あるとする時、これは中間に他の部分がない場合を意味する。
＜液晶表示装置の構造＞
図１は本発明の一実施例による液晶表示装置のブロック図である。図２は本発明の一実施例による液晶表示装置の分解斜視図である。図３は本発明の一実施例による液晶表示装置の一つの画素に対する等価回路図である。
【００３３】
図１に示すように、本発明の一実施例による液晶表示装置は、液晶表示板組立体３００と、ゲート駆動部４００と、データ駆動部５００と、信号制御部６００と、階調電圧生成部８００と、光源部９１０と、光源駆動部９２０と、を含む。ゲート駆動部４００及びデータ駆動部５００は液晶表示板組立体３００と連結されている。階調電圧生成部８００はデータ駆動部５００に連結されている。光源部９１０は液晶表示板組立体３００に光を照射する。光源駆動部９２０は光源部９１０を制御する。そして、信号制御部６００は、ゲート駆動部４００、データ駆動部５００、階調電圧生成部８００、光源部９１０及び光源駆動部９２０を制御する。
【００３４】
また、本発明の一実施例による液晶表示装置は、図２に示すように構造的に見ると、表示部３３０とバックライト部３４０とを含む液晶モジュール３５０と、液晶モジュール３５０を受納して固定する前面シャーシ３６１及び後面シャーシ３６２と、モールドフレーム３６４と、を含む。
【００３５】
表示部３３０は、液晶表示板組立体３００と、液晶表示板組立体３００の下部表示板１００上に配設されている駆動チップ５１０と、下部表示板１００に配設されて駆動チップ５１０を制御するための制御信号を印加するフレキシブル印刷基板（ＦＰＣ）５５０と、を含む。
【００３６】
ここで、駆動チップ５１０は、データ線用チップとゲート線用チップとに分けられた二つ以上のチップで構成されるか、或いはこれらを統合した一つのチップで構成される。駆動チップ５１０は、ＣＯＧ（Chip On Glass）工程によって下部表示板１００上に実装される。
【００３７】
フレキシブル印刷基板５５０には、駆動信号のタイミングを調節するためのタイミングコントローラやデータ信号を保存するためのメモリなどが実装される。フレキシブル回路基板５５０は、異方性導電フィルム（図示せず）を媒介として下部表示板１００と電気的に連結されている。
【００３８】
液晶表示板組立体３００は、図３に示すように、下部表示板１００と、上部表示板２００と、その間に入っている液晶層３とを含む。そして、図１及び図３に示すように、等価回路的には、複数の表示信号線（G1-Gn、D1-Dm）と、これに連結されて行列状に配列された複数の画素を含む。
【００３９】
表示信号線（G1-Gn、D1-Dm）は下部表示板１００に具備されており、ゲート信号（走査信号とも言う）を伝達する複数のゲート線（G1-Gn）とデータ信号を伝達するデータ線（D1-Dm）とを含む。ゲート線（G1-Gn）は、互いにほぼ平行に行方向に延長されている。データ線（D1-Dm）は、互いにほぼ平行に列方向に延長されている。
【００４０】
各画素は、表示信号線（G1-Gn、D1-Dm）に連結されたスイッチング素子（Q）と、各画素に連結された液晶キャパシタ（CLC）及びストレージキャパシタ（CST）を含む。ストレージキャパシタ（CST）は必要に応じて省略することができる。
【００４１】
薄膜トランジスタなどで構成されているスイッチング素子（Q）は、下部表示板１００に具備されており、三端子素子を有している。三端子素子の端子のうち、制御端子及び入力端子は各々ゲート線（G1-Gn）及びデータ線（D1-Dm）に連結され、出力端子は液晶キャパシタ（CLC）及びストレージキャパシタ（CST）に連結されている。
【００４２】
液晶キャパシタ（CLC）は、下部表示板１００の画素電極１９０と上部表示板２００の共通電極２７０とを二つの端子とし、二つの電極１９０、２７０間の液晶層３は誘電体として機能する。画素電極１９０はスイッチング素子（Q）に連結され、共通電極２７０は上部表示板２００の全面に形成されて共通電極２７０より共通電圧（Vcom）を印加される。また、図３とは異なり、共通電極２７０は下部表示板１００に具備されてもよい。その場合には、二つの電極１９０、２７０のうちの少なくとも一つが線形または棒形に形成することができる。
【００４３】
液晶キャパシタ（CLC）の補助的な役割をするストレージキャパシタ（CST）は、下部表示板１００に具備された別の信号線（図示せず）と画素電極１９０とが絶縁体を媒介として重なって形成されている。この別の信号線（図示せず）には、共通電圧（Vcom）などの定められた電圧が印加される。また、ストレージキャパシタ（CST）は、画素電極１９０が絶縁体を媒介としてすぐ上にある前段ゲート線と重なって形成することができる。
【００４４】
一方、色の表示を実現するために、各画素は三原色のうちの一つの色を固有に表示し（空間分割）、また各画素は時間によって交互に三原色を表示し（時間分割）、これら三原色の空間的及び時間的な作用によって所望の色相が認識できるようにする。図３は空間分割の一例であって、各画素が画素電極１９０に対応する上部表示板２００の領域に赤色、緑色、または青色のカラーフィルタ２３０を具備している様子が示されている。また、図３とは異なり、カラーフィルタ２３０は、下部表示板１００の画素電極１９０の上または下に形成してもよい。
【００４５】
図２におけるバックライト部３４０は、発光ダイオード３４４、発光バー３４５、光源カバー３４６、導光板３４２、複数の光学シート３４３、反射板３４１及びモールドフレーム３４６を含む。発光ダイオード３４４は光を放つ。発光バー３４５は、棒形に長く形成されて両端面に発光ダイオード３４４を実装している。光源カバー３４６は、発光バー３４５と発光ダイオード３４４とを収容し保護する。導光板３４２は、液晶表示板組立体３００の下部に位置し、発光バー３４５からの光を組立体３００に拡散させる。反射板３４１は、導光板３４２の下部に位置し、導光板３４２から下方に放つ光を組立体３００に反射する。そして、モールドフレーム３６４は、反射板３４１、導光板３４２、発光ダイオード３４４を配設した発光バー３４５、及び光源カバー３４６を収容する。
【００４６】
光源として用いられる発光ダイオード（ＬＥＤ）３４４は、紫外線光、青色光及び自色光のいずれか一つを発するか、或いはこれらの混合光を発する。または、発光ダイオード（ＬＥＤ）３４４は、紫外線光、青色光及び紫色光のいずれか一つを発するか或いはこれらの混合光を発する発光チップ上に、黄色蛍光体や、赤色、緑色及び青色の蛍光体の混合物を塗布することで白色光を放たせる白色発光ダイオードでもよい。
【００４７】
発光バー３４５は、樹脂などの透明物質に蛍光体を分散させ一定の形状を維持するように固形化したもので、発光ダイオード３４４が放つ紫外線光などを受け、白色光に変換して放出する。
【００４８】
液晶表示板組立体３００の二つの表示板１００、２００の外側面には、光源体３４９から放つ光を偏光する偏光子（図示せず）が付着されている。
図１及び図２を参考にすると、階調電圧生成部８００は、フレキシブル印刷基板（ＦＰＣ）５５０に具備され、画素の透過率に関わる二組の複数階調電圧を生成する。二組のうちの一組は、共通電圧（Vcom）に対してプラスの値を有し、もう一組はマイナスの値を有する。即ち、一組の複数階調電圧は共通電圧(Vcom）よりも大きい値を有し、もう一組の複数階調電圧は共通電圧（Vcom)よりも小さい値を有する。ゲート駆動部４００は、集積回路ＩＣで形成されている。具体的には、ゲート駆動部４００は駆動チップ（図示せず）で構成され、液晶表示板組立体３００のゲート線（G1-Gn）に連結している。そして、ゲート駆動部４００は、外部からのゲートオン電圧（Von）及びゲートオフ電圧（Voff）の組み合わせからなるゲート信号をゲート線（G1-Gn）に印加する。
【００４９】
データ駆動部５００も駆動チップ（図示せず）で構成され、液晶表示板組立体３００のデータ線（D1-Dm）に連結している。そして、データ駆動部５００は、階調電圧生成部８００からの階調電圧の中から選択したデータ電圧をデータ線（D1-Dm）に印加する。
【００５０】
ゲート駆動部４００及びデータ駆動部５００などの動作を制御する信号制御部６００は、フレキシブル印刷基板５５０に具備されている。
＜液晶表示装置の表示動作＞
以下より、このような液晶表示装置の表示動作について詳細に説明する。
【００５１】
信号制御部６００は、外部のグラフィック制御機（図示せず）から入力映像信号（R、G、B）及びその表示を制御する入力制御信号、メインクロック（MCLK）、データイネーブル信号（DE）などを受ける。入力制御信号とは、例えば垂直同期信号（Vsync）及び水平同期信号（Hsync）である。信号制御部６００は、入力映像信号（R、G、B）と入力制御信号に基づいて、映像信号（R、G、B）を液晶表示板組立体３００の動作条件に合わせて適切に処理し、ゲート制御信号（CONT1）及びデータ制御信号（CONT2）などを生成し、ゲート制御信号（CONT1）をゲート駆動部４００に送り、データ制御信号（CONT2）と処理した映像信号（DAT）とをデータ駆動部５００に送る。
【００５２】
ゲート制御信号（CONT1）は、フレームの開始を知らせる垂直同期開始信号（STV）、ゲートオン電圧（Von）の出力時期を制御するゲートクロック信号（CPV）及びゲートオン電圧（Von）の持続時間を限定する出力イネーブル信号（OE）などを含む。
【００５３】
データ制御信号（CONT2）は、映像データ（DAT）の伝送開始を知らせる水平同期開始信号（STH）と、データ線（D1-Dm）にデータ電圧の印加を指示するロード信号（LOAD）、共通電圧（Vcom）に対するデータ電圧の極性（以下、共通電圧に対するデータ電圧の極性を略してデータ電圧の極性と言う）を反転させる反転信号（RVS）及びデータクロック信号（HCLK）などを含む。
【００５４】
データ駆動部５００は、信号制御部６００からのデータ制御信号（CONT2）に基づいて一行の画素に対する映像データ（DAT）を順次に受信してシフトさせ、階調電圧生成部８００からの階調電圧のうちの各映像データ（DAT）に対応する階調電圧を選択して映像データ（DAT）を当該データ電圧に変換した後、これを当該データ線（D1-Dm）に印加する。
【００５５】
ゲート駆動部４００は、信号制御部６００からのゲート制御信号（CONT1）に基づいて、ゲートオン電圧（Von）をゲート線（G1-Gn）に印加してゲート線（G1-Gn）に連結されたスイッチング素子（Q）をオンさせる。これにより、データ線（D1-Dm）に印加されたデータ電圧はオンしたスイッチング素子（Q）を通じて当該画素に印加される。
【００５６】
画素に印加されたデータ電圧と共通電圧（Vcom）との差は、液晶キャパシタ（CLC）の充電電圧、つまり画素電圧として現れる。液晶分子は、画素電圧の大きさに応じてその配列が異なる。
【００５７】
光源駆動部９２０は、光源部９１０に印加される電流を制御し光源部９１０を構成する発光ダイオード３４４を点滅させ、その明るさを制御する。
このような光源駆動部９２０の制御に基づいて発光ダイオード３４４から放たれた光は、液晶層３を通過しながら液晶分子の配列によってその偏光が変化する。このような偏光の変化は、偏光子によって光透過率の変化として現れる。
【００５８】
１水平周期（または1Ｈ）[水平同期信号（Hsync）、データイネーブル信号（DE）、ゲートクロック（CPV）の一周期]が経過すると、データ駆動部５００及びゲート駆動部４００は、次行の画素に対して同じ動作を繰り返す。このような方法で、１フレーム期間中に全てのゲート線（G1-Gn）に対して順次にゲートオン電圧（Von）を印加し、全ての画素にデータ電圧を印加する。１フレームが終了すると、次のフレームが始まり、各画素に印加されるデータ電圧の極性が直前フレームでの極性と逆になるように、データ駆動部５００に印加される反転信号（RVS）の状態は制御される（フレーム反転）。この時、１フレーム期間内にも反転信号（RVS）の特性に応じて一つのデータ線を通じて流れるデータ電圧の極性が変化し（行反転、ドット反転）、一つの画素行に印加されるデータ電圧の極性も互いに異なることがある（列反転、ドット反転）。
＜バックライト装置＞
以下より、本発明の一実施例による光源部９１０、つまりバックライト装置について図４を参照して詳細に説明する。
【００５９】
図４は、本発明の一実施例によるバックライトユニットの分解斜視図である。
図４によると、本発明の実施例によるバックライトユニットは、発光バー３４５、導光板３４２、二つの発光ダイオード３４４、及び光源カバー３４６を含む。発光バー３４５は四角柱の形状をなし、その両端部には三角柱状の突起３４５１が形成されている。導光板３４２の側面のうち、１つの側面は発光バー３４５と接している。発光ダイオード３４４は、発光バー３４５の両端面に付着されている。光源カバー３４６は、発光ダイオード３４４が付着している発光バー３４５を覆って保護し、発光バー３４５と導光板３４２とを結合する。
【００６０】
発光ダイオード（LED）３４４は、紫外線光、青色光及び紫色光のいずれか一つを発し、或いはこれらの混合光を発することが好ましい。
発光バー３４５は、樹脂などの透明な誘電体に蛍光体または燐光体が均一に分散されてている。ここで、蛍光体と燐光体とは、発光ダイオード３４４が発する光の種類によって異なるが、発光ダイオード３４４が紫外線光を放つ場合は、赤色、緑色及び青色の蛍光体または燐光体を全て包含することが好ましい。また、発光ダイオード３４４が青色光を放つ場合は、黄色蛍光体または燐光体のみを包含することもできる。発光バー３４５に含まれている蛍光体または燐光体は、発光ダイオード３４４が放つ光を白色光に変換するためのものである。
【００６１】
発光バー３４５の両端面は、発光バー３４５の長軸に対して垂直ではなく若干傾斜している。具体的には、両端面は導光板３４２側に傾き、導光板３４２側の両端面間の距離が短くように傾斜している。これは、発光バー３４５の両端面に付着されている発光ダイオード３４４から放たれる光の多くは、発光バー３４５の光源カバー３４６側の側面の方向を向くようにするためである。これにより、多くの光が通過する発光バー３４５内部の経路は長くなるため、蛍光体と衝突する機会が多くなり、発光バー３４５に含まれている蛍光体を均一に用いることができる。
【００６２】
発光バー３４５の両端面が発光バー３４５の長軸に対して傾斜する角度は、発光バー３４５の長さをＬ、発光バー３４５の端面の長さをＳとするとき、sin-1（S/L）であることが好ましい。これに関して、後に詳細に説明する。
【００６３】
発光バー３４５の両端部の突起３４５１は、導光板３４２の角部が取られた部分と嵌合されるもので、発光ダイオード３４４が付着される発光バー３４５の両端面を拡張する役割をする。ここで、突起３４５１は省略できる。
【００６４】
このような発光バー３４５内部を、発光ダイオード３４４から放たれた光は進みながら分散している蛍光体と衝突して白色光を発する。この際、発光バー３４５全体において均一に光を放つため、CCFLやEEFLのような線光源の機能をする。したがって、発光ダイオードを直ちに配設したときに生じるデッドスペースがなくなる。
【００６５】
光源カバー３４６は、その内部面が光反射面であり、発光バー３４５が発する光を反射して導光板３４２側に向けさせる役割の他に、発光バー３４５と導光板３４２とを結合する役割ももっている。
【００６６】
光源カバー３４６の両端面には、発光ダイオード３４４に電源供給用配線を連結するための配線口３４６１が形成されている。導光板３４２は、発光バー３４５が発する線光を面光に変換する役割をする。
【００６７】
図５は本発明の他の実施例によるバックライトユニットの分解斜視図である。図５のバックライトユニットは、図４に示すバックライトユニットとは発光バー３４５部分で異なる。具体的には、図５の発光バー３４５は、蛍光体の分布が中央で最も密度が高く、両端に向かうほど密度が低くなる。これは、発光ダイオード３４４の光が強い発光バー３４５の両端と、光が弱い発光バー３４５の中央の発光量とを同一にするためである。
【００６８】
図５の発光バー３４５も、その両端面が長軸に対して所定角度傾斜した形態であるのが好ましく、その角度は、発光バー３４５の長さをＬ、発光バー３４５の端面の長さをＳとするとき、sin-1（S/L）であるのが好ましい。その理由について図６を参考にして説明する。
【００６９】
図６は本発明の一実施例による発光バーの正断面図である。
図６に示すように、発光バー３４５の長さをＬ、発光バー３４５の両端面の長さをＳ、発光バー３４５の両端面が発光バー３４５の長軸となす角度をＡ２、両端面が発光バー３４５の短軸に対して傾斜する角度をＡ１とする。
【００７０】
発光ダイオード３４４は発光バー３４５の両端面の中央に付着され、発光ダイオード３４４が発する光が発光バー３４５を通過しながら蛍光体を刺激するための最も適切な入射角度は、発光ダイオード３４４が正面から放出した光を発光バー３４５の光源カバー側の側面中央に到達させる角度である。Ａ１が大きすぎると、発光ダイオード３４４が放つ光が多重反射して損失が大きくなり、到達しない部分が生ずることがある。また、Ａ１が小さすぎると、発光バー３４５の両端面の付近には光が到達しないことがある。
【００７１】
図６を参照してＡ１を求めると、以下のようになる。
【００７２】
【数１】
2006114473.tif 000003
＜電源供給用配線＞
次に、発光ダイオードに電源を供給するための配線配置を、図７及び図８を参考にして説明する。図７は本発明の他の実施例によるバックライトユニットの分解斜視図である。図８は本発明の他の実施例によるバックライトユニットの部分斜視図である。
【００７３】
図７の実施例では、発光ダイオード３４４に電源を供給するための配線３４７は、発光バー３４５の光源カバー３４６側の側面に配置されている。したがって、配線３４７は、光源カバー３４６の内側に位置することになる。この時、配線３４７には、フレキシブル印刷回路（ＦＰＣ）が用いられる。
【００７４】
これに対し、図８の実施例では、発光ダイオード３４４に電源を供給するための配線３４７は光源カバー３４６の外面に配置されている。この配線は、配線口３４６１を通じて発光ダイオードと連結されている。配線３４７にはフレキシブル印刷回路が用いられる。
【００７５】
以上、本発明の好ましい実施例について詳細に説明したが、本発明の権利範囲はこれに限定されず、特許請求の範囲で定義している本発明の基本概念を利用した当業者の様々な変形及び改良形態も本発明の権利範囲に属するものである。
【図面の簡単な説明】
【００７６】
【図１】本発明の一実施例による液晶表示装置のブロック図。
【図２】本発明の一実施例による液晶表示装置の分解斜視図。
【図３】本発明の一実施例による液晶表示装置の一つの画素に対する等価回路図。
【図４】本発明の一実施例によるバックライトユニットの分解斜視図。
【図５】本発明の他の実施例によるバックライトユニットの分解斜視図。
【図６】本発明の一実施例による発光バーの正断面図。
【図７】本発明の他の実施例によるバックライトユニットの分解斜視図。
【図８】本発明の他の実施例によるバックライトユニットの部分斜視図。
【符号の説明】
【００７７】
３００  液晶表示板組立体
４００  ゲート駆動部
５００  データ駆動部
８００  階調電圧生成部
９１０  光源部
９２０  光源駆動部
６００  信号制御部
１００、２００  表示板
５５０  フレキシブル印刷基板（ＦＰＣ）
１９０  画素電極
２７０  共通電極
３４５  発光バー
３４２  導光板
３４４  発光ダイオード
３４６  光源カバー
【図１】
2006114473.tif 000004
【図２】
2006114473.tif 000005
【図３】
2006114473.tif 000006
【図４】
2006114473.tif 000007
【図５】
2006114473.tif 000008
【図６】
2006114473.tif 000009
【図７】
2006114473.tif 000010
【図８】
2006114473.tif 000011